(57)【要約】  干渉抑制情報の伝送装置、方法及び通信システムが提供される。伝送方法は、ユーザ装置がサービングネットワーク装置或いは１つ又は複数の隣接ネットワーク装置に、ダイナミックTDDによるCLIを抑制するための報告情報を送信することを含む。これにより、ユーザ装置がサービングネットワーク装置又は隣接ネットワーク装置に干渉抑制情報を報告することで、これらの情報を隣接ネットワーク装置にタイムリーに通知し、ダイナミックTDDシステムのCLIを有効に抑制することができる。
2019537376.tif 000002
【特許請求の範囲】
【請求項１】
ダイナミックTDD（Time  Division  Duplex）を行うユーザ装置に構成される干渉抑制情報の伝送装置であって、
サービングネットワーク装置或いは１つ又は複数の隣接ネットワーク装置に、ダイナミックTDDによるCLI（Cross-Link  Interference）を抑制するための報告情報を送信するための報告ユニットを含み、
前記報告情報は、
サービングセルの特定時間範囲内での伝送方向情報、
１つ又は複数の隣接セルの特定時間範囲内での伝送方向情報、
前記ユーザ装置が前記報告情報の送信前に１つ又は複数の隣接セルからのCLIを測定しているかを指示するための指示情報、
前記ユーザ装置が前記報告情報の送信前に１つ又は複数の隣接セルのユーザ装置に対してCLIを生成しているかを指示するための指示情報、
１つ又は複数の隣接セルからのCLIの測定結果情報、
前記ユーザ装置が前記報告情報の送信前にCLIを受けた、又は、他のユーザ装置にCLIを与えたリソース位置情報、
前記ユーザ装置が前記報告情報の送信後にCLIを受ける可能性のある、又は、他のユーザ装置にCLIを与える可能性のあるリソース位置情報
のうちの1つ又は複数を含む、伝送装置。
【請求項２】
請求項1に記載の伝送装置であって、
前記サービングネットワーク装置又は前記隣接ネットワーク装置の通知情報を受信するための受信ユニットをさらに含み、
前記通知情報は、
サービングセルの特定時間範囲内での伝送方向情報、
１つ又は複数の隣接セルの特定時間範囲内での伝送方向情報、
前記報告情報を送信する送信パワー情報、
前記報告情報を送信する時間情報、及び
前記報告情報を送信するユーザ装置の情報
のうちの１つ又は複数を含む、伝送装置。
【請求項３】
請求項1に記載の伝送装置であって、
前記特定時間範囲は、データを伝送するための時間期間であり、１つ又は複数のスロット、１つ又は複数のサブフレーム、１つ又は複数のフレーム、及び、１つ又は複数のシンボルのうちの何れか１つを含む、伝送装置。
【請求項４】
請求項2に記載の伝送装置であって、
前記報告ユニットが前記報告情報を送信する時間周波数リソースは、前記サービングネットワーク装置又は前記隣接ネットワーク装置により設定され、及び／又は、前記受信ユニットが前記通知情報を受信する時間周波数リソースは、前記サービングネットワーク装置又は前記隣接ネットワーク装置により設定される、伝送装置。
【請求項５】
請求項2に記載の伝送装置であって、
前記報告ユニットは、前記通知情報中の前記送信パワー情報及び／又は前記時間情報に基づいて前記報告情報を送信し；及び／又は
前記通知情報は、前記サービングネットワーク装置又は前記隣接ネットワーク装置が他の信号のパワーよりも大きいパワーを用いて送信する、伝送装置。
【請求項６】
請求項2に記載の伝送装置であって、
前記報告情報を送信するユーザ装置は、
前記ユーザ装置が、前記サービングネットワーク装置により、前記報告情報を送信する必要があると設定された、
前記ユーザ装置が、前記サービングネットワーク装置により、前記報告情報の送信後にデータの送信又は受信を行うとスケジューリングされた、
前記ユーザ装置が、前記隣接ネットワーク装置により送信される前記通知情報を受信した、
前記ユーザ装置が、前記サービングネットワーク装置の伝送方向が前記隣接ネットワーク装置の伝送方向とは異なることを発見した、
前記ユーザ装置が、前記報告情報の送信前に、１つ又は複数の隣接セルからのCLIを測定した、或いは、１つ又は複数の隣接セルのユーザ装置にCLIを与え得ることを検出した、及び
前記ユーザ装置が、前記報告情報の送信後に、１つ又は複数の隣接セルかのCLIを受ける、或いは、１つ又は複数の隣接セルのユーザ装置にCLIを与え得ることを予測できた
という条件のうちの１つ又は複数を満足する、伝送装置。
【請求項７】
請求項2に記載の伝送装置であって、
前記報告情報及び前記通知情報は、下りリンクデータを含む時間ユニット構成においてキャリーされ、前記時間ユニット構成中では、時間領域上で順次、前記通知情報、前記報告情報及び前記下りリンクデータがキャリーされ；又は、
前記報告情報及び前記通知情報は、上りリンクデータを含む時間ユニット構成においてキャリーされ、前記時間ユニット構成中では、時間領域上で順次、前記通知情報、前記報告情報及び前記上りリンクデータがキャリーされる、伝送装置。
【請求項８】
請求項7に記載の伝送装置であって、
前記通知情報中の前記伝送方向情報は、ローカル時間ユニット内のデータ伝送方向又はローカル時間ユニットの後の１つ又は複数の時間ユニット内のデータ伝送方向を指示し、
前記報告情報中の前記伝送方向情報は、ローカル時間ユニット内のサービングセル又は隣接セルのデータ伝送方向、或いは、ローカル時間ユニットの後の１つ又は複数の時間ユニット内のサービングセル又は隣接セルのデータ伝送方向を指示する、伝送装置。
【請求項９】
請求項7に記載の伝送装置であって、
前記時間ユニット構成において前記報告情報の後に、さらに、下りリンク制御情報がキャリーされ、
前記下りリンク制御情報は、前記サービングネットワーク装置又は前記隣接ネットワーク装置がCLIを発見した場合に送信され、これにより、ユーザ装置がデータを伝送するためのスケジューリングに対して調整を行う、伝送装置。
【請求項１０】
請求項2に記載の伝送装置であって、
前記報告情報及び前記通知情報は、下りリンクデータを含む時間ユニット構成においてキャリーされ、前記時間ユニット構成中では、時間領域上で順次、前記通知情報、前記下りリンクデータ及び前記報告情報がキャリーされ；又は
前記報告情報及び前記通知情報は、上りリンクデータを含む時間ユニット構成においてキャリーされ、前記時間ユニット構成中では、時間領域上で順次、前記通知情報、前記上りリンクデータ及び前記報告情報がキャリーされる、伝送装置。
【請求項１１】
請求項10に記載の伝送装置であって、
前記通知情報中の前記伝送方向情報は、ローカル時間ユニットの後の１つ又は複数の時間ユニット内のデータ伝送方向を指示し、
前記報告情報中の前記伝送方向情報は、ローカル時間ユニットの後の１つ又は複数の時間ユニット内のサービングセル又は隣接セルのデータ伝送方向を指示する、伝送装置。
【請求項１２】
ダイナミックTDD（Time  Division  Duplex）を行うネットワーク装置に構成される干渉抑制情報の伝送装置であって、
自セル又は隣接セルの１つ又は複数のユーザ装置により送信される、ダイナミックTDDによるCLI（Cross-Link  Interference）を抑制するための報告情報を受信するための受信ユニットを含み、
前記報告情報は、
前記ユーザ装置のサービングセルの特定時間範囲内での伝送方向情報、
前記ユーザ装置の１つ又は複数の隣接セルの特定時間範囲内での伝送方向情報、
前記ユーザ装置が前記報告情報の送信前に１つ又は複数の隣接セルからのCLIを測定しているかを指示するための指示情報、
前記ユーザ装置が前記報告情報の送信前に１つ又は複数の隣接セルのユーザ装置に対してCLIを生成しているかを指示するための指示情報、
１つ又は複数の隣接セルからのCLIの測定結果情報、
前記ユーザ装置が前記報告情報の送信前にCLIを受けた、又は、他のユーザ装置にCLIを与えたリソース位置情報、及び
前記ユーザ装置が前記報告情報の送信後にCLIを受ける可能性のある、又は、他のユーザ装置にCLIを与える可能性のあるリソース位置情報
のうちの１つ又は複数を含む、伝送装置。
【請求項１３】
請求項12に記載の伝送装置であって、
自セル又は隣接セルの１つ又は複数のユーザ装置に通知情報を送信するための通知ユニットを含み、
前記通知情報は、
自セルの特定時間範囲内での伝送方向情報、
前記ユーザ装置が前記報告情報を送信する送信パワー情報、
前記ユーザ装置が前記報告情報を送信する時間情報、及び
前記報告情報を送信するユーザ装置の情報
のうちの１つ又は複数を含む、伝送装置。
【請求項１４】
請求項13に記載の伝送装置であって、
前記ユーザ装置のために、前記報告情報を送信する時間周波数リソース及び／又は前記通知情報を受信する時間周波数リソースを設定するための設定ユニットをさらに含む、伝送装置。
【請求項１５】
請求項14に記載の伝送装置であって、
１つ又は複数の隣接ネットワーク装置と、前記ユーザ装置が前記報告情報を送信する時間周波数リソース及び／又は前記通知情報を受信する時間周波数リソースをネゴシエーションするためのネゴシエーションユニットをさらに含む、伝送装置。
【請求項１６】
請求項13に記載の伝送装置であって、
前記報告情報及び前記通知情報は、下りリンクデータを含む時間ユニット構成においてキャリーされ、前記時間ユニット構成中では、時間領域上で順次、前記通知情報、前記報告情報及び前記下りリンクデータがキャリーされ；又は
前記報告情報及び前記通知情報は、上りリンクデータを含む時間ユニット構成においてキャリーされ、前記時間ユニット構成中では、時間領域上で順次、前記通知情報、前記報告情報及び前記上りリンクデータがキャリーされる、伝送装置。
【請求項１７】
請求項16に記載の伝送装置であって、
前記通知情報中の前記伝送方向情報は、ローカル時間ユニット内のデータ伝送方向又はローカル時間ユニットの後の１つ又は複数の時間ユニット内のデータ伝送方向を指示し、
前記報告情報中の前記伝送方向情報は、ローカル時間ユニット内のサービングセル又は隣接セルのデータ伝送方向、或いは、ローカル時間ユニットの後の１つ又は複数の時間ユニット内のサービングセル又は隣接セルのデータ伝送方向を指示する、伝送装置。
【請求項１８】
請求項13に記載の伝送装置であって、
前記報告情報及び前記通知情報は、下りリンクデータを含む時間ユニット構成においてキャリーされ、前記時間ユニット構成中では、時間領域上で順次、前記通知情報、前記下りリンクデータ及び前記報告情報がキャリーされ；又は
前記報告情報及び前記通知情報は、上りリンクデータを含む時間ユニット構成においてキャリーされ、前記時間ユニット構成中では、時間領域上で順次、前記通知情報、前記上りリンクデータ及び前記報告情報がキャリーされる、伝送装置。
【請求項１９】
請求項18に記載の伝送装置であって、
前記通知情報中の前記伝送方向情報は、ローカル時間ユニットの後の１つ又は複数の時間ユニット内のデータ伝送方向を指示し、
前記報告情報中の前記伝送方向情報は、ローカル時間ユニットの後の１つ又は複数の時間ユニット内のサービングセル又は隣接セルのデータ伝送方向を指示する、伝送装置。
【請求項２０】
通信システムであって、
請求項1に記載の干渉抑制情報の伝送装置を含むユーザ装置；及び
請求項12に記載の干渉抑制情報の伝送装置を含むネットワーク装置を含む、通信システム。
【発明の詳細な説明】
【技術分野】
【０００１】
本発明は、通信技術分野に関し、特に、干渉抑制情報の伝送装置、方法及び通信システムに関する。
【背景技術】
【０００２】
新しい無線（NR、New  Radio）システムでは、TDD（Time  Division  Duplex）が１つの時間ユニット（例えば、１つのスロット（slot））を基本ユニットとしてデータ伝送を動的に割り当てる上り下りリンク設定をサポートするので、各ネットワーク装置（例えば、gNB）とユーザ装置との間の伝送方向は、１つの時間ユニット（例えば、１つのスロット）を基本ユニットとして動的に変化することがある。
【０００３】
図1は、動的TDDの伝送方向を示す図である。図1に示すように、１つの時間ユニット（例えば、1番目のスロット）においてネットワーク装置のデータ伝送方向は、下りリンク（DL、Downlink）であり、その次の時間ユニット（例えば、2番目のスロット）においてネットワーク装置のデータ伝送方向は、上りリンク（UL、Uplink）になる可能性がある。
【０００４】
NRシステムでは、動的TDDを採用する場合、データ伝送方向を頻繁に変更する必要があり、これは、隣接セル間のシビアなCLI（Cross-Link  Interference）を来す恐れがある。
【０００５】
図2は、NRシステム中で動的TDDを採用することを示す図である。図2に示すように、例えば、１つのスロットにおいて、ネットワーク装置gNB1は、動的TDDを用いて自セル（セル1）のユーザ装置UE1に下りリンクデータを送信し、サービングセル（セル2）のユーザ装置2は、動的TDDを用いてネットワーク装置gNB2に上りリンクデータを送信し、このときに、UE1及びUE2間は、CLIが生じる可能性があり、gNB1及びgNB2間も、CLIが生じる可能性がある。
【０００６】
CLIを低減するために、ネットワーク装置間は、相互協調を行う必要がある。例えば、gNB2は、該スロットにおけるgNB1とUE1との間の伝送方向が下りリンクであることを把握していれば、該スロットにおいてgNB2及びUE2間の伝送方向が下りリンクになるよう、又は、データ伝送が行われないようにスケジューリングすることで、CLIを低減することができる。
【０００７】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００８】
しかし、発明者は、次のようなことを発見した。即ち、動的TDDを採用するときに、設定情報が動的に伝送されるのであり、例えば、あるスロットの上り下りリンクの伝送方向が、該スロット内の1番目又は前の幾つかのシンボル（或いは、該スロットの前のスロット）にのみ、ネットワーク装置により設定される。従来のネットワーク装置間のバックホール（backhaul）によりこれらの情報（例えば、伝送方向情報）を交換すれば、非理想的backhaulのディレイが比較的大きいため、これらの情報は、短時間内で隣接ネットワーク装置に通知することが困難である。
【０００９】
本発明の実施例は、干渉抑制情報の伝送装置、方法及び通信システムを提供する。ユーザ装置がサービングネットワーク装置又は隣接ネットワーク装置に干渉抑制情報を報告することで、これらの情報を隣接ネットワーク装置にタイムリーに通知し、動的TDDシステムのCLIを有効に抑制することができる。
【課題を解決するための手段】
【００１０】
本発明の実施例の第一側面によれば、干渉抑制情報の伝送方法が提供され、それは、ダイナミックTDDを行うユーザ装置に応用され、前記伝送方法は、
ユーザ装置がサービングネットワーク装置或いは１つ又は複数の隣接ネットワーク装置に、ダイナミックTDDによるCLIを抑制するための報告情報を送信することを含み、
そのうち、前記報告情報は、以下のもののうちの１つ又は複数を含み、即ち、
サービングセルの特定時間範囲内での伝送方向情報；
１つ又は複数の隣接セルの特定時間範囲内での伝送方向情報；
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報；
前記ユーザ装置が前記報告情報を送信する前にCLIを受けた、又は、他のユーザ装置にCLIを与えたリソース位置情報；及び
前記ユーザ装置が前記報告情報を送信した後にCLIを受ける可能性のある、又は、他のユーザ装置にCLIを与える可能性のあるリソース位置情報である。
【００１１】
本発明の実施例の第二側面によれば、干渉抑制情報の伝送装置が提供され、それは、ダイナミックTDDを行うユーザ装置に構成され、前記伝送装置は、
報告ユニットであって、サービングネットワーク装置或いは１つ又は複数の隣接ネットワーク装置に、ダイナミックTDDによるCLIを抑制するための報告情報を送信するためのものを含み、
前記報告情報は、以下のもののうちの１つ又は複数を含み、即ち、
サービングセルの特定時間範囲内での伝送方向情報；
１つ又は複数の隣接セルの特定時間範囲内での伝送方向情報；
前記ユーザ装置が前記報告情報を送信する前に１つ又は複数の隣接セルからのCLIを測定しているかを指示するための指示情報；
前記ユーザ装置が前記報告情報を送信する前に１つ又は複数の隣接セルのユーザ装置に対してCLIを生成しているかを指示するための指示情報；
１つ又は複数の隣接セルからのCLIの測定結果情報；
前記ユーザ装置が前記報告情報を送信する前にCLIを受けた、又は、他のユーザ装置にCLIを与えたリソース位置情報；
前記ユーザ装置が前記報告情報を送信した後にCLIを受ける可能性のある、又は、他のユーザ装置にCLIを与える可能性のあるリソース位置情報である。
【００１２】
本発明の実施例の第三側面によれば、干渉抑制の情報伝送方法が提供され、それは、ダイナミックTDDを行うネットワーク装置に応用され、前記伝送方法は、
自セル又は隣接セルの１つ又は複数のユーザ装置により送信される、ダイナミックTDDによるCLIを抑制するための報告情報を受信することを含み、
前記報告情報は、以下のもののうちの１つ又は複数を含み、即ち、
前記ユーザ装置のサービングセルの特定時間範囲内での伝送方向情報；
前記ユーザ装置の１つ又は複数の隣接セルの特定時間範囲内での伝送方向情報；
前記ユーザ装置が前記報告情報を送信する前に１つ又は複数の隣接セルからのCLIを測定しているかを指示するための指示情報；
前記ユーザ装置が前記報告情報を送信する前に１つ又は複数の隣接セルのユーザ装置に対してCLIを生成しているかを指示するための指示情報；
１つ又は複数の隣接セルからのCLIの測定結果情報；
前記ユーザ装置が前記報告情報を送信する前にCLIを受けた、又は、他のユーザ装置にCLIを与えたリソース位置情報；及び
前記ユーザ装置が前記報告情報を送信した後にCLIを受ける可能性のある、又は、他のユーザ装置にCLIを与える可能性のあるリソース位置情報である。
【００１３】
本発明の実施例の第四側面によれば、干渉抑制情報の伝送装置が提供され、それは、ダイナミックTDDを行うネットワーク装置に配置され、前記伝送装置は、
受信ユニットであって、自セル又は隣接セルの１つ又は複数のユーザ装置により送信される、ダイナミックTDDによるCLIを抑制するための報告情報を受信するためのものを含み、
前記報告情報は、以下のもののうちの１つ又は複数を含み、即ち、
前記ユーザ装置のサービングセルの特定時間範囲内での伝送方向情報；
前記ユーザ装置の１つ又は複数の隣接セルの特定時間範囲内での伝送方向情報；
前記ユーザ装置が前記報告情報を送信する前に１つ又は複数の隣接セルからのCLIを測定しているかを指示するための指示情報；
前記ユーザ装置が前記報告情報を送信する前に１つ又は複数の隣接セルのユーザ装置に対してCLIを生成しているかを指示するための指示情報；
１つ又は複数の隣接セルからのCLIの測定結果情報；
前記ユーザ装置が前記報告情報を送信する前にCLIを受けた、又は、他のユーザ装置にCLIを与えたリソース位置情報；及び、
前記ユーザ装置が前記報告情報を送信した後にCLIを受ける可能性のある、又は、他のユーザ装置にCLIを与える可能性のあるリソース位置情報である。
【００１４】
本発明の実施例の第五側面によれば、通信システムが提供され、それは、
ユーザ装置及びネットワーク装置を含み、
前記ユーザ装置は、上記の第二側面に記載の干渉抑制情報の伝送装置を含み、
前記ネットワーク装置は、上記の第四側面に記載の干渉抑制情報の伝送装置を含む。
【００１５】
本発明の実施例の有益な効果は、次の通りであり、即ち、ユーザ装置がサービングネットワーク装置又は隣接ネットワーク装置に干渉抑制情報を報告することで、これらの情報を隣接ネットワーク装置にタイムリーに通知し、ダイナミックTDDシステムのCLIを有効に抑制することができる。
【００１６】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１７】
また、１つの実施方式について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１８】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１９】
本発明の１つの図面又は１つの実施形態に記載の要素及び特徴は、１つ又は複数の他の図面又は実施形態に示した要素及び特徴と組み合わせることができる。また、図面では、類似したシンボルは、幾つの図面中の対応する部品を示し、複数の実施形態に用いる対応部品を示すためにも用いられる。
【図１】ダイナミックTDDの伝送方向を示す図である。
【図２】NRシステム中でダイナミックTDDを採用することを示す図である。
【図３】本発明の実施例における通信システムを示す図である。
【図４】本発明の実施例1における干渉抑制情報の伝送方法を示す図である。
【図５】本発明の実施例1におけるネットワーク装置送信の通知情報を示す図である。
【図６】本発明の実施例1における情報伝送方法の一例を示す図である。
【図７】本発明の実施例1における情報伝送方法の他の例を示す図である。
【図８】本発明の実施例1における時間ユニットの構成を示す図である。
【図９】本発明の実施例1における時間ユニットの構成を示す他の図である。
【図１０】本発明の実施例1においてフォーマット1を採用する複数の時間ユニットを示す図である。
【図１１】本発明の実施例1における時間ユニットの構成を示す他の図である。
【図１２】本発明の実施例1における時間ユニットの構成を示す他の図である。
【図１３】本発明の実施例1においてフォーマット2を採用する複数の時間ユニットを示す図である。
【図１４】本発明の実施例2における干渉抑制情報の伝送方法を示す図である。
【図１５】本発明の実施例2における干渉抑制情報の伝送方法を示す他の図である。
【図１６】本発明の実施例3における干渉抑制情報の伝送装置を示す図である。
【図１７】本発明の実施例4における干渉抑制情報の伝送装置を示す図である。
【図１８】本発明の実施例5におけるユーザ装置を示す図である。
【図１９】本発明の実施例5におけるネットワーク装置を示す図である。
【発明を実施するための形態】
【００２０】
添付した図面及び以下の説明を参照することにより、本発明の前述及び他の特徴が明らかになる。なお、明細書及び図面では、本発明の特定の実施形態を開示しているが、それは、本発明の原理を採用し得る一部のみの実施形態を示し、理解すべきは、本発明は、記載されている実施形態に限定されず、即ち、本発明は、添付した特許請求の範囲内での全ての変更、変形及び代替によるものも含むということである。
【００２１】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA（登録商標）（Wideband  Code  Division  Multiple  Access）、HSPA（High-Speed  Packet  Access）などである。
【００２２】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２３】
本発明の実施例では、用語“ネットワーク装置”は、例えば、通信システム中の、端末装置を通信ネットワークに接続し、該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２４】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又は全ての機能を含んでも良く、各基地局は、特定の地理の領域に対して通信カバレッジを提供することができる。用語“セル”が指すのは、基地局及び／又はそのカバーする領域であっても良い、これは、該用語のコンテキストによるものである。
【００２５】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２６】
そのうち、ユーザ装置は、次のようなものを含んでも良いが、それに限定されず、例えば、携帯電話（Cellular  Phone）、PDA（Personal  Digital  Assistant）、無線モデム、無線通信装置、携帯装置、機器型通信装置、ラップトップコンピュータ、コードレス電話機、スマートフォン、スマートウォッチ、デジタルカメラなどである。
【００２７】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００２８】
以下、例を挙げて本発明の実施例のシナリオについて説明するが、本発明は、これに限られない。
【００２９】
図3は、本発明の実施例における通信システムを示す図であり、UE及びネットワーク装置を例とする場合を説明する。図3に示すように、通信システム300は、ネットワーク装置301及びUE  302を含んでも良い（説明の便宜のため、図3では、１つのみのUEを例として説明を行う）。
【００３０】
本発明の実施例では、ネットワーク装置301及びUE  302間は、既存のトラフィック又は将来実施可能なトラフィックを行うことができる。トラフィックは、例えば、次のようなものを含んでも良いが、それに限定されず、即ち、eMBB（enhanced  Mobile  Broadband）、mMTC（massive  Machine  Type  Communication）、URLLC（Ultra-Reliable  and  Low-Latency  Communication）などである。そのうち、ネットワーク装置301及びUE  302間は、動的TDDを用いて上り下りリンクデータ伝送を行うことができる。
【００３１】
以下、gNB及びUEを例として本発明の実施例について詳細に説明する。
【実施例１】
【００３２】
本発明の実施例は、干渉抑制情報の伝送方法を提供し、それは、ダイナミックTDDを行うユーザ装置に用いられる。図4は、本発明の実施例における干渉抑制情報の伝送方法を示す図である。図4に示すように、前記伝送方法は、以下のステップを含む。
【００３３】
ステップ402：ユーザ装置は、サービングネットワーク装置或いは１つ又は複数の隣接ネットワーク装置に、ダイナミックTDDによるCLIを抑制するための報告情報を送信し；
そのうち、前記報告情報は、以下のようなもののうちの１つ又は複数を含み、即ち、
サービングセルの特定時間範囲内での伝送方向情報、
１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報である。
【００３４】
なお、以上、報告情報（即ち、CLI抑制用の情報）の幾つかの具体的な形式を示したが、本発明は、これに限られず、例えば、CLIを抑制するため他の情報を含んでも良い。
【００３５】
本実施例では、前記特定時間範囲は、データ伝送のための時間期間であっても良く、例えば、次のようなもののうちの何れか１つを含んでも良く、即ち、１つ又は複数のスロット（slot）、１つ又は複数のサブフレーム（subframe）、１つ又は複数のフレーム（frame）、及び、１つ又は複数のシンボル（symbol）である。なお、本発明は、これに限定されず、さらに、他の時間ユニットで表される時間期間を含んでも良い。
【００３６】
本実施例では、ユーザ装置送信の前記報告情報の時間周波数リソースは、前記サービングネットワーク装置又は前記隣接ネットワーク装置により設定されても良い。また、ユーザ装置は、さらに、通知情報（詳細的な内容は後述する）中の送信パワー情報及び／又は時間情報に基づいて前記報告情報を送信しても良い。
【００３７】
例えば、各gNBは、隣接gNBと直交する時間周波数リソースを設定して、各自のセル内のサービングユーザ装置に報告情報（報告シグナリングとも言う）を送信させても良い。さらに、各gNBは、さらに、隣接gNBとこの時間周波数リソースの設定情報についてのやり取りをしても良く、また、隣接gNBとこの時間周波数リソースの設定についてのネゴシエーションをしても良い。
【００３８】
ユーザ装置は、サービングgNB送信の通知情報（通知シグナリングとも言う）中で指示される送信パワーに基づいて、報告シグナリングを送信しても良い。なお、本発明は、これに限定されず、例えば、この送信パワーの大小は、サービングgNBが他のシグナリングでユーザ装置に通知しても良く、例えば、無線リソース制御（RRC、Radio  Resource  Control）シグナリング、媒体アクセス制御（MAC、Media  Access  Control）層の制御シグナリングなどを使用しても良い。
【００３９】
また、ユーザ装置は、さらに、サービングgNB送信の通知シグナリング中で指示される時間情報（例えば、タイミングアドバンス情報、timing  advance  information）により該報告シグナリングを送信しても良い。なお、本発明は、これに限定されず、例えば、この時間情報は、他のシグナリングにより送信されても良く、例えば、RRCシグナリング、MAC層の制御シグナリングなどを用いても良い。
【００４０】
本実施例では、報告情報を送信するユーザ装置に対して設定を行っても良く、即ち、どのようなユーザ装置が該報告情報を送信することができるかについて設定することができる。
【００４１】
例えば、報告情報を送信し得るユーザ装置は、以下のような１つ又は複数の条件を満足することができ、即ち、
前記ユーザ装置が、前記サービングネットワーク装置により、前記報告情報を送信する必要があると設定されており；
前記ユーザ装置が、前記サービングネットワーク装置により、前記報告情報を送信した後にデータの送信又は受信を行うとスケジューリングされており；
前記ユーザ装置が前記隣接ネットワーク装置送信の前記通知情報を受信しており；
前記ユーザ装置が、前記サービングネットワーク装置の伝送方向が前記隣接ネットワーク装置の伝送方向とは異なることを発見しており；
前記ユーザ装置が、前記報告情報を送信する前に１つ又は複数の隣接セルからのCLIを測定しており、或いは、１つ又は複数の隣接セルのユーザ装置にCLIを与え得ることを検出しており；及び
前記ユーザ装置が、前記報告情報を送信した後に、１つ又は複数の隣接セルからCLIを受けること、或いは、１つ又は複数の隣接セルのユーザ装置にCLIを与えることを予測できているという条件である。
【００４２】
なお、以上、例示的に幾つかの具体的な条件を示したが、本発明は、これに限定されず、例えば、さらにその他の条件を含んでも良い。
【００４３】
以上、本発明の報告情報について説明した。これにより、ユーザ装置がサービングネットワーク装置又は隣接ネットワーク装置に干渉抑制情報を報告することで、これらの情報を隣接ネットワーク装置にタイムリーに通知することができる。
【００４４】
本実施例では、ユーザ装置は、報告情報を送信する前に、さらにネットワーク装置送信の通知情報を受信することができる。
【００４５】
図4に示すように、前記伝送方法は、さらに、以下のステップを含んでも良い。
【００４６】
ステップ401：ユーザ装置は、前記サービングネットワーク装置又は前記隣接ネットワーク装置の通知情報を受信し；
そのうち、前記通知情報は、次のようなもののうちの１つ又は複数を含んでも良く、即ち、サービングセルの特定時間範囲内での伝送方向情報、１つ又は複数の隣接セルの特定時間範囲内での伝送方向情報、前記報告情報を送信する送信パワー情報、前記報告情報を送信する時間情報、及び前記報告情報を送信するユーザ装置情報であるが、本発明は、これに限定されない。
【００４７】
本実施例では、前記特定時間範囲は、データ伝送のための時間期間であっても良く、例えば、次のようなもののうちの何れか１つを含んでも良く、即ち、１つ又は複数のスロット（slot）、１つ又は複数のサブフレーム（subframe）、１つ又は複数のフレーム（frame）、及び、１つ又は複数のシンボル（symbol）である。なお、本発明は、これに限定されず、さらに他の時間ユニットで表される時間期間を使用しても良い。
【００４８】
本実施例では、ユーザ装置が前記通知情報を受信する時間周波数リソースは、前記サービングネットワーク装置又は前記隣接ネットワーク装置により設定されても良い。また、ユーザ装置は、さらに、該通知情報中の送信パワー情報及び／又は時間情報に基づいて前記報告情報を送信しても良い。
【００４９】
例えば、各gNBは、隣接gNBと直交する時間周波数リソースを設定して、該通知情報（通知シグナリングとも言う）を送信しても良い。さらに、各gNBは、隣接gNBとこの時間周波数リソースの設定情報についてのやり取りをしても良く、また、隣接gNBとこの時間周波数リソースの設定についてのネゴシエーションをしても良い。
【００５０】
本実施例では、前記通知情報は、前記サービングネットワーク装置又は前記隣接ネットワーク装置が他の信号のパワーよりも大きいパワーを用いて送信することができる。
【００５１】
図5は、本発明の実施例におけるネットワーク装置が通知情報を送信することを示す図である。図5に示すように、ネットワーク装置が他の信号（例えば、下りリンク制御信号、下りリンクデータなど）を送信するに採用するパワーP1（図5に示す信号受信領域A1が形成される）に比べ、ネットワーク装置は、より大きいパワーP2（図5に示す信号受信領域A2が形成される）で該通知情報を送信することができる。また、ネットワーク装置は、さらに、該送信パワーP2の大小又はP2とP1との差ΔPをユーザ装置に設定しても良い。
【００５２】
これにより、より多くのユーザ装置（自セル（ローカルセルとも言う）のユーザ装置及び隣接セルのユーザ装置を含む）が該通知情報を受信するようにさせ、より多くのユーザ装置が該通知情報に基づいてサービングネットワーク装置又は隣接ネットワーク装置に報告情報を送信するようにさせることができるため、情報伝送の信頼性を向上させることができる。
【００５３】
なお、図4に基づいて本発明を例示的に説明したが、本発明は、これに限定されない。例えば、ステップ401中で通知情報を送信するネットワーク装置、及びステップ402中で報告情報を受信するネットワーク装置は、同一ネットワーク装置でなくても良いが、もちろん、同一ネットワーク装置であっても良い。
【００５４】
例えば、該ユーザ装置のサービングネットワーク装置により該通知情報を送信し、該ユーザ装置の隣接ネットワーク装置により該報告情報を受信しても良く、或いは、該ユーザ装置の隣接ネットワーク装置により該通知情報を送信し、該ユーザ装置のサービングネットワーク装置により該報告情報を受信しても良く、或いは、該ユーザ装置のサービングネットワーク装置により該通知情報を送信し、該ユーザ装置のサービングネットワーク装置及び隣接ネットワーク装置の両方により該報告情報を受信しても良く、或いは、該ユーザ装置の隣接ネットワーク装置により該通知情報を送信し、該ユーザ装置のサービングネットワーク装置及び隣接ネットワーク装置の両方により該報告情報を受信しても良い。図4では、便宜のために、区別を行っていない。
【００５５】
以下、２つの例を挙げて本発明の実施例についてさらに説明する。
【００５６】
図6は、本発明の実施例における情報伝送方法の一例を示す図である。図6に示すように、gNB1は、UE1のサービングネットワーク装置であり、gNB2は、UE1の隣接ネットワーク装置である。gNB1は、時刻t1において通知情報を送信し、例えば、gNB1（又は、対応するセル）の１つの時間期間内での上り下りリンク伝送方向を指示し、UE1は、t1において該通知情報を受信し、時刻t2においてUE1は、gNB2に報告情報を送信することができる。例えば、該報告情報は、gNB1（又は、対応するセル）の１つの時間期間内での上り下りリンク伝送方向を指示する。
【００５７】
これにより、隣セル（gNB1に対応する）のユーザ装置UE1により、gNB2は、CLI抑制情報（例えば、gNB1から）をタイムリーに得ることができる。
【００５８】
図7は、本発明の実施例における情報伝送方法を示す他の図である。図7に示すように、gNB1は、UE1のサービングネットワーク装置であり、gNB2は、UE1の隣接ネットワーク装置である。gNB2は、時刻t1において通知情報を送信し、例えば、gNB2（又は、対応するセル）の１つの時間期間内の上り下りリンク伝送方向を指示し、UE1は、t1において該通知情報を受信し、時刻t2においてUE1は、gNB1に報告情報を送信することができる。例えば、該報告情報は、gNB2（又は、対応するセル）の１つの時間期間内の上り下りリンク伝送方向を指示する。
【００５９】
これにより、自セル（gNB1に対応する）のユーザ装置UE1により、gNB1は、CLI抑制情報（例えば、gNB2から）をタイムリーに得ることができる。
【００６０】
以上、報告情報及び通知情報について例示的に説明した。以下、報告情報及び通知情報をキャリー（carry）する時間ユニット構成について説明する。そのうち、以下、該時間ユニットがスロットであるケースを例として説明を行うが、本発明は、これに限定されず、例えば、該時間ユニットは、さらに、サブフレーム、フレーム、又は他の時間ユニットであっても良い。
【００６１】
１つの実施方式では、前記報告情報及び前記通知情報は、下りリンクデータを含む時間ユニット構成においてキャリーされても良く、前記時間ユニット構成中では、時間領域上で順次、前記通知情報、前記報告情報及び前記下りリンクデータをキャリーする。
【００６２】
図8は、本発明の実施例における時間ユニット構成を示す図である。図8に示すように、該時間ユニット構成中では、通知シグナリング（notification  signaling）801、他の下りリンク制御シグナリング802、間隔（gap）803、報告シグナリング（reporting  signaling）804、他の上りリンク制御シグナリング805、データ領域806（下りリンクデータ＋オプションとしての下りリンク制御シグナリングを含む）、及び空白領域807をキャリーしても良い。
【００６３】
或いは、前記報告情報及び前記通知情報は、上りリンクデータを含む時間ユニット構成においてキャリーされても良く、前記時間ユニット構成中では、時間領域上で順次、前記通知情報、前記報告情報及び前記上りリンクデータをキャリーする。
【００６４】
図9は、本発明の実施例における時間ユニット構成を示す他の図である。図9に示すように、該時間ユニット構成中では、通知シグナリング（notification  signaling）901、他の下りリンク制御シグナリング902、間隔（gap）903、報告シグナリング（reporting  signaling）904、他の上りリンク制御シグナリング905、データ領域906（上りリンクデータ＋オプションとしての下りリンク制御シグナリングを含む）、及び空白領域907をキャリーしても良い。
【００６５】
本実施方式では、図8及び図9に示す時間ユニット構成をフォーマット1と称しても良く、該フォーマット1では、時間領域上で順次、前記通知情報、前記報告情報及びデータ（上りリンクデータ又は下りリンクデータ）をキャリーする。
【００６６】
そのうち、通知シグナリング801又は901は、上述のようであっても良く、例えば、指示する伝送方向は、ローカル時間ユニット（例えば、スロット）内のデータ伝送方向又はローカル時間ユニット（例えば、スロット）の後の１つ又は複数の時間ユニット（例えば、スロット）のデータ伝送方向である。
【００６７】
報告シグナリング804又は904も、上述のようであっても良く、例えば、報告する伝送方向は、ローカル時間ユニット（例えば、スロット）内の自セル（即ち、ユーザ装置のサービングセル）又は隣接セルの伝送方向、或いは、ローカル時間ユニット（例えば、スロット）の後の１つ又は複数の時間ユニット（例えば、スロット）内の自セル又は隣接セルのデータ伝送方向である。
【００６８】
また、他の下りリンク制御シグナリング802又は902は、物理下りリンク制御チャネル（PDCCH、Physical  Downlink  Control  Channel）の下りリンク制御シグナリング（例えば、リソース割り当て、前のスロットの上りリンクデータのACK／NACKなど）に類似したものであっても良い。
【００６９】
他の上りリンク制御シグナリング805又は905については、例えば、前のスロットの下りリンクデータのACK／NACK、チャネル品質指示（CQI、Channel  Quality  Indicator）、CLIの測定結果などを含んでも良く、例えば、そのうちの１つ又は複数を含んでも良い。また、送信する必要のある上りリンク制御シグナリングがなければ、該他の上りリンク制御シグナリングを伝送するためのリソースは、データを送信するために用いられても良い。
【００７０】
また、例えば、ユーザ装置の上述のCLIの測定結果に対しての報告は、次のような条件のうちの少なくとも１つ又は幾つかの組み合わせを満足する必要があり、即ち、ユーザ装置が、そのサービングセルの伝送方向が隣接セルとは異なるのを発見したこと；ユーザ装置が、上述の他の上りリンク制御シグナリングを送信する前に、CLIを受けたことを測定した、又は、CLIを引き起こし得ることを検出したこと；ユーザ装置が、上述の上りリンク制御シグナリングを送信した後に、データを送信するときに隣接セルユーザ装置にCLIを与え得ること、又は、データを受信するときに隣接セルのユーザ装置によるCLIを受け得ることを予測できたこと；ユーザ装置が、サービングgNBにより、データの送信又は受信を行うとスケジューリングされたことである。なお、本発明は、これに限定されず、例えば、さらに他の条件を含んでも良い。
【００７１】
データ領域806については、下りリンクデータを含んでも良い。オプションとして、さらに下りリンク制御シグナリングを含んでも良い。ユーザ装置は、前述の下りリンク制御シグナリング802に基づいて下りリンクデータを受信することができる。gNBは、ユーザ装置の報告及び自分の測定によりCLIを発見した場合、データ領域806において下りリンク制御シグナリングを送信することで、ユーザ装置がデータを伝送するためのスケジューリングを調整することができる。
【００７２】
データ領域906については、上りリンクデータを含んでも良く、オプションとして、さらに下りリンク制御シグナリングを含んでも良い。ユーザ装置は、前述の下りリンク制御シグナリング802に基づいて上りリンクデータを送信することができる。gNBは、ユーザ装置の報告及び自分の測定によりCLIを発見した場合、データ領域906において下りリンク制御シグナリングを送信することで、ユーザ装置がデータを伝送するためのスケジューリングを調整することができる。
【００７３】
空白領域807又は907では、gNB又はUEは、いずれの情報も送信せず、その目的は、隣接セルへの干渉を低減することにある。なお、本発明は、これに限定されず、例えば、該空白領域を有してなくても良い。
【００７４】
なお、上述の各情報を送信する時間周波数リソースの位置は、例示に過ぎず、実際のシステムでは、gNBの設定に基づいて送信を行っても良い。
【００７５】
図10は、本発明の実施例においてフォーマット1を採用する複数の時間ユニットを示す図である。２つの時間ユニットが２つのスロットであることを例とする。図10に示すように、スロット1中の通知シグナリングは、該スロット1のサービングセルの伝送方向を指示することができ、スロット1中の報告シグナリングは、該スロット1のサービングセルの伝送方向又は該スロット1の隣接セルの伝送方向を報告することができ、スロット1中の下りリンクデータの伝送結果（ACK／NACK）は、スロット2中の上りリンク制御シグナリングにおいて指示されても良い。
【００７６】
もう１つの実施方式では、前記報告情報及び前記通知情報は、下りリンクデータを含む時間ユニット構成において搬送されても良く、前記時間ユニット構成中では、時間領域上で順次、前記通知情報、前記下りリンクデータ及び前記報告情報をキャリーする。
【００７７】
図11は、本発明の実施例における時間ユニット構成を示す図である。図11に示すように、該時間ユニット構成中では、通知シグナリング（notification  signaling）1101、他の下りリンク制御シグナリング1102、データ領域1103（下りリンクデータを含む）、間隔（gap）1104、報告シグナリング（reporting  signaling）1105、他の上りリンク制御シグナリング1106、及び空白領域1107をキャリーしても良い。
【００７８】
或いは、前記報告情報及び前記通知情報は、上りリンクデータを含む時間ユニット構成において搬送されても良く、前記時間ユニット構成中では、時間領域上で順次、前記通知情報、前記上りリンクデータ及び前記報告情報をキャリーする。
【００７９】
図12は、本発明の実施例における時間ユニット構成を示す他の図である。図12に示すように、該時間ユニット構成中では、通知シグナリング（notification  signaling）1201、他の下りリンク制御シグナリング1202、データ領域1203（上りリンクデータを含む）、間隔（gap）1204、報告シグナリング（reporting  signaling）1205、及び空白領域1206をキャリーしても良い。
【００８０】
本実施方式では、図11及び図12に示す時間ユニット構成をフォーマット2と称しても良く、該フォーマット2では、時間領域上で順次、前記通知情報、データ（上りリンクデータ又は下りリンクデータ）及び前記報告情報をキャリーする。
【００８１】
そのうち、通知シグナリング1101又は1201は、上述のようであっても良く、例えば、指示する伝送方向は、ローカル時間ユニット（例えば、スロット）の後の１つ又は複数の時間ユニット（例えば、スロット）のデータ伝送方向である。
【００８２】
報告シグナリング1105又は1205も、上述のようであっても良く、例えば、報告する伝送方向は、ローカル時間ユニット（例えば、スロット）の後の１つ又は複数の時間ユニット（例えば、スロット）内の自セル（即ち、ユーザ装置のサービングセル）或いは隣接セルのデータ伝送方向である。
【００８３】
また、他の下りリンク制御シグナリング1102又は1202は、物理下りリンク制御チャネル（PDCCH、Physical  Downlink  Control  Channel）の下りリンク制御シグナリング（例えば、リソース割り当て、前のスロットの上りリンクデータのACK／NACKなど）に類似したものであっても良い。
【００８４】
他の上りリンク制御シグナリング1106については、例えば、前のスロットの下りリンクデータのACK／NACK、チャネル品質指示（CQI、Channel  Quality  Indicator）、CLIの測定結果などを含んでも良く、例えば、そのうちの１つ又は複数を含んでも良い。
【００８５】
また、例えば、ユーザ装置の上述のCLIの測定結果に対しての報告は、次のような条件のうちの少なくとも１つ又は幾つかの組み合わせを満足する必要があり、即ち、ユーザ装置が、そのサービングセルがローカル時間ユニット（例えば、スロット）後の１つ又は複数の時間ユニット（例えば、スロット）の伝送方向が隣接セルとは異なることを発見したこと；ユーザ装置が、上述の他の上りリンク制御シグナリングを送信する前に、CLIを受けたことを測定した、或いは、CLIを引き起こし得ることを検出したこと；ユーザ装置が、上述の上りリンク制御シグナリングを送信した後にデータを送信するときに隣接セルユーザ装置にCLIを与え得ること、或いは、データを受信するときに隣接セルユーザ装置からのCLIを受け得ることを予測できたこと；ユーザ装置が、ローカル時間ユニット（例えば、スロット）の後の１つ又は複数の時間ユニット（例えば、スロット）において、サービングgNBにより、データの送信又は受信を行うようにスケジューリングされたことである。なお、本発明は、これに限定されず、例えば、さらに他の条件を含んでも良い。
【００８６】
空白領域1107又は1206では、gNB又はUEは、いずれの情報を送信せず、それは、隣接セルへの干渉を低下するためである。なお、本発明は、これに限定されず、例えば、該空白領域を有しなくても良い。
【００８７】
なお、上述の各情報を送信する時間周波数リソースの位置は、例示に過ぎず、実際のシステムでは、gNBの設定に基づいて送信を行っても良い。
【００８８】
図13は、本発明の実施例においてフォーマット2を採用する複数の時間ユニットを示す図である。２つの時間ユニットが２つのスロットである場合を例とする。図13に示すように、スロット1中の通知シグナリングは、スロット2のサービングセルの伝送方向を指示することができ、スロット1中の報告シグナリングは、スロット2のサービングセルの伝送方向又はスロット2の隣接セルの伝送方向を報告することができる。
【００８９】
なお、上述のフォーマット1又はフォーマット2は、gNBがダイナミックTDDを用いてそのセル内のユーザ装置をサービングするときに採用されても良く、通知シグナリング及び報告シグナリングは、gNBがダイナミックTDDを用いてそのセル内のユーザ装置をサービングした後に送信されても良いが、本発明は、これに限定されない。
【００９０】
上述の実施例から分かるように、ユーザ装置がサービングネットワーク装置又は隣接ネットワーク装置に干渉抑制情報を報告することで、これらの情報を隣接ネットワーク装置にタイムリーに通知し、ダイナミックTDDシステムのCLIを有効に低減することができる。
【実施例２】
【００９１】
本発明の実施例は、干渉抑制情報の伝送方法を提供し、それは、ダイナミックTDDを行うネットワーク装置に応用される。本発明の実施例では、実施例1と同じ内容が省略される。
【００９２】
図14は、本発明の実施例における干渉抑制情報の伝送方法を示す図である。図14に示すように、前記伝送方法は、以下のステップを含む。
【００９３】
ステップ1401：ネットワーク装置は、自セル又は隣接セルの１つ又は複数のユーザ装置送信の、ダイナミックTDDによるCLIを抑制するための報告情報を受信し；
そのうち、前記報告情報は、以下のようなもののうちの１つ又は複数を含み、即ち、
前記ユーザ装置のサービングセルの特定時間範囲内での伝送方向情報、
前記ユーザ装置の１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報である。
【００９４】
本実施例では、前記特定時間範囲は、データ伝送のための時間期間であっても良く、例えば、次のようなもののうちの何れか１つを含んでも良く、即ち、１つ又は複数のスロット（slot）、１つ又は複数のサブフレーム（subframe）、１つ又は複数のフレーム（frame）、及び１つ又は複数のシンボル（symbol）である。なお、本発明は、これに限定されず、さらに他の時間ユニットで表される時間期間を用いても良い。
【００９５】
図15は、本発明の実施例における干渉抑制情報の伝送方法を示す他の図である。図15に示すように、前記伝送方法は、以下のステップを含む。
【００９６】
ステップ1501：ネットワーク装置は、１つ又は複数の隣接ネットワーク装置と、ユーザ装置が報告情報を送信する時間周波数リソース及び／又はユーザ装置が通知情報を受信する時間周波数リソースをネゴシエーションし；
ステップ1502：ネットワーク装置は、前記ユーザ装置のために、前記報告情報を送信する時間周波数リソース及び／又は前記通知情報を受信する時間周波数リソースを設定し；
ステップ1503：ネットワーク装置は、自セル又は隣接セルの１つ又は複数のユーザ装置に通知情報を送信する。
【００９７】
そのうち、前記通知情報は、次のようなもののうちの１つ又は複数を含んでも良く、即ち、自セルの特定時間範囲内での伝送方向情報、前記ユーザ装置が前記報告情報を送信する送信パワー情報、前記ユーザ装置が前記報告情報を送信する時間情報、及び前記報告情報を送信するユーザ装置情報であるが、本発明は、これに限定されない。
【００９８】
ステップ1504：ネットワーク装置は、自セル又は隣接セルの１つ又は複数のユーザ装置送信の、ダイナミックTDDによるCLIを抑制するための報告情報を受信し；
そのうち、前記報告情報は、以下のようなもののうちの１つ又は複数を含んでも良く、即ち、
前記ユーザ装置のサービングセルの特定時間範囲内での伝送方向情報、
前記ユーザ装置の１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報であるが、本発明は、これに限定されない。
【００９９】
なお、以上、図15をもとに本発明の実施例について例示的に説明したが、本発明は、これに限定されない。例えば、各ステップ間の実行順序を適切に調整しても良く、また、さらに幾つかのステップを増減しても良い。当業者は、図15の記載に限られず、上述の内容に対して適切に変形を行っても良い。
【０１００】
１つの実施方式では、前記報告情報及び前記通知情報は、下りリンクデータを含む時間ユニット構成においてキャリーされても良く、前記時間ユニット構成中では、時間領域上で順次、前記通知情報、前記報告情報及び前記下りリンクデータをキャリーし；
或いは、前記報告情報及び前記通知情報は、上りリンクデータを含む時間ユニット構成においてキャリーされても良く、前記時間ユニット構成中では、時間領域上で順次、前記通知情報、前記報告情報及び前記上りリンクデータをキャリーする。
【０１０１】
そのうち、前記通知情報中の前記伝送方向情報は、ローカル時間ユニット内のデータ伝送方向又はローカル時間ユニットの後の１つ又は複数の時間ユニット内のデータ伝送方向を指示し；
前記報告情報中の前記伝送方向情報は、ローカル時間ユニット内のサービングセル又は隣接セルのデータ伝送方向、或いは、ローカル時間ユニットの後の１つ又は複数の時間ユニット内のサービングセル又は隣接セルのデータ伝送方向を指示する。
【０１０２】
もう１つの実施方式では、前記報告情報及び前記通知情報は、下りリンクデータを含む時間ユニット構成において搬送されても良く、前記時間ユニット構成中では、時間領域上で順次、前記通知情報、前記下りリンクデータ及び前記報告情報をキャリーし；
或いは、前記報告情報及び前記通知情報は、上りリンクデータを含む時間ユニット構成において搬送され、前記時間ユニット構成中では、時間領域上で順次、前記通知情報、前記上りリンクデータ及び前記報告情報をキャリーする。
【０１０３】
そのうち、前記通知情報中の前記伝送方向情報は、ローカル時間ユニットの後の１つ又は複数の時間ユニット内のデータ伝送方向を指示し；
前記報告情報中の前記伝送方向情報は、ローカル時間ユニットの後の１つ又は複数の時間ユニット内のサービングセル又は隣接セルのデータ伝送方向を指示する。
【０１０４】
上述の実施例から分かるように、ユーザ装置がサービングネットワーク装置又は隣接ネットワーク装置に干渉抑制情報を報告することで、これらの情報を隣接ネットワーク装置にタイムリーに通知し、ダイナミックTDDシステムのCLIを有効に抑制することができる。
【実施例３】
【０１０５】
本発明の実施例は、干渉抑制情報の伝送装置を提供し、該干渉抑制情報の伝送装置は、例えば、ダイナミックTDDを行うユーザ装置であっても良く、ユーザ装置に配置される１つ又は複数の部品又はモジュールであって良い。なお、本実施例3では、実施例1と同じ内容が省略される。
【０１０６】
図16は、本発明の実施例における干渉抑制情報の伝送装置を示す図である。図16に示すように、干渉抑制情報の伝送装置1600は、以下のものを含む。
【０１０７】
報告ユニット1601：サービングネットワーク装置或いは１つ又は複数の隣接ネットワーク装置に、ダイナミックTDDによるCLIを抑制するための報告情報を送信し；
そのうち、前記報告情報は、以下のようなもののうちの１つ又は複数を含んでも良く、即ち、
サービングセルの特定時間範囲内での伝送方向情報、
１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報であるが、本発明は、これに限定されない。
【０１０８】
図16に示すように、干渉抑制情報の伝送装置1600は、さらに、以下のものを含んでも良い。
【０１０９】
受信ユニット1602：前記サービングネットワーク装置又は前記隣接ネットワーク装置の通知情報を受信し；
そのうち、前記通知情報は、以下のようなもののうちの１つ又は複数を含んでも良く、即ち、
サービングセルの特定時間範囲内での伝送方向情報、
１つ又は複数の隣接セルの特定時間範囲内での伝送方向情報、
前記報告情報を送信する送信パワー情報、
前記報告情報を送信する時間情報、及び
前記報告情報を送信するユーザ装置の情報であるが、本発明は、これに限定されない。
【０１１０】
本実施例では、前記特定時間範囲は、データ伝送のための時間期間であっても良く、例えば、次のようなもののうちの何れか１つを含んでも良く、即ち、１つ又は複数のスロット、１つ又は複数のサブフレーム、１つ又は複数のフレーム、及び１つ又は複数のシンボルであるが、本発明は、これに限定されない。
【０１１１】
本実施例では、報告ユニット1601が前記報告情報を送信する時間周波数リソースは、前記サービングネットワーク装置又は前記隣接ネットワーク装置により設定されても良く、及び／又は、受信ユニット1602が前記通知情報を受信する時間周波数リソースは、前記サービングネットワーク装置又は前記隣接ネットワーク装置により設定されても良い。
【０１１２】
本実施例では、報告ユニット1601は、前記通知情報中の前記送信パワー情報及び／又は前記時間情報に基づいて前記報告情報を送信することができ、及び／又は、前記通知情報は、前記サービングネットワーク装置又は前記隣接ネットワーク装置により、他の信号のパワーよりも大きいパワーで送信することができる。
【０１１３】
本実施例では、前記報告情報を送信するユーザ装置は、次のような条件のうちの１つ又は複数を満足しても良く、即ち、
前記ユーザ装置が、前記サービングネットワーク装置により、前記報告情報を送信する必要があると設定されていること；
前記ユーザ装置が、前記サービングネットワーク装置により、前記報告情報を送信した後にデータの送信又は受信を行うとスケジューリングされていること；
前記ユーザ装置が、前記隣接ネットワーク装置送信の前記通知情報を受信していること；
前記ユーザ装置が、前記サービングネットワーク装置の伝送方向が前記隣接ネットワーク装置の伝送方向とは異なることを発見していること；
前記ユーザ装置が、前記報告情報を送信する前に、１つ又は複数の隣接セルからのCLIを測定しており、或いは、１つ又は複数の隣接セルのユーザ装置にCLIを与え得ることを検出していること；及び
前記ユーザ装置が、前記報告情報送信後に、１つ又は複数の隣接セルのCLIを受ける可能性があり、或いは、１つ又は複数の隣接セルのユーザ装置にCLIを与える可能性があることを予測できていることである。
【０１１４】
１つの実施方式では、前記報告情報及び前記通知情報は、下りリンクデータを含む時間ユニット構成において搬送され、前記時間ユニット構成中では、時間領域上で順次、前記通知情報、前記報告情報及び前記下りリンクデータをキャリーし；
或いは、前記報告情報及び前記通知情報は、上りリンクデータを含む時間ユニット構成において搬送され、前記時間ユニット構成中では、時間領域上で順次、前記通知情報、前記報告情報及び前記上りリンクデータをキャリーする。
【０１１５】
そのうち、前記通知情報中の前記伝送方向情報は、ローカル時間ユニット内のデータ伝送方向又はローカル時間ユニットの後の１つ又は複数の時間ユニット内のデータ伝送方向を指示し；
前記報告情報中の前記伝送方向情報は、ローカル時間ユニット内のサービングセル又は隣接セルのデータ伝送方向、或いは、ローカル時間ユニットの後の１つ又は複数の時間ユニット内のサービングセル又は隣接セルのデータ伝送方向を指示する。
【０１１６】
本実施方式では、前記時間ユニット構成中では、前記報告情報の後にさらに下りリンク制御情報がキャリーされても良く、前記下りリンク制御情報は、前記サービングネットワーク装置又は前記隣接ネットワーク装置がCLIを発見した場合に送信され、これにより、ユーザ装置がデータを伝送するスケジューリングに対して調整を行うことができる。
【０１１７】
もう１つの実施方式では、前記報告情報及び前記通知情報は、下りリンクデータを含む時間ユニット構成においてキャリーされ、前記時間ユニット構成中では、時間領域上で順次、前記通知情報、前記下りリンクデータ及び前記報告情報をキャリーし；
或いは、前記報告情報及び前記通知情報は、上りリンクデータを含む時間ユニット構成においてキャリーされ、前記時間ユニット構成中では、時間領域上で順次、前記通知情報、前記上りリンクデータ及び前記報告情報をキャリーする。
【０１１８】
そのうち、前記通知情報中の前記伝送方向情報は、ローカル時間ユニットの後の１つ又は複数の時間ユニット内のデータ伝送方向を指示し；
前記報告情報中の前記伝送方向情報は、ローカル時間ユニットの後の１つ又は複数の時間ユニット内のサービングセル又は隣接セルのデータ伝送方向を指示する。
【０１１９】
なお、以上、本発明に関連する各部品又はモジュールのみについて説明したが、本発明は、これに限定されない。干渉抑制情報の伝送装置1600は、さらに、他の部品又はモジュールを含んでも良く、これらの部品又はモジュール具体的な内容については、従来技術を参照することができる。
【０１２０】
上述の実施例から分かるように、ユーザ装置がサービングネットワーク装置又は隣接ネットワーク装置に干渉抑制情報を報告することで、これらの情報を隣接ネットワーク装置にタイムリーに通知し、ダイナミックTDDシステムのCLIを有効に抑制することができる。
【実施例４】
【０１２１】
本発明の実施例は、干渉抑制情報の伝送装置を提供し、該干渉抑制情報の伝送装置は、ダイナミックTDDを行うネットワーク装置であっても良く、ネットワーク装置に構成される1つ又は複数の部品又はモジュールであっても良い。なお、本実施例4では、実施例1及び2と同じ内容が省略される。
【０１２２】
図17は、本発明の実施例における干渉抑制情報の伝送装置を示す図である。図17に示すように、干渉抑制情報の伝送装置1700は、以下のものを含む。
【０１２３】
受信ユニット1701：それは、自セル又は隣接セルの１つ又は複数のユーザ装置送信の、ダイナミックTDDによるCLIを抑制するための報告情報を受信し；
そのうち、前記報告情報は、以下のようなもののうちの１つ又は複数を含んでも良く、即ち、
前記ユーザ装置のサービングセルの特定時間範囲内での伝送方向情報、
前記ユーザ装置の１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報であるが、本発明は、これに限定されない。
【０１２４】
図17に示すように、干渉抑制情報の伝送装置1700は、さらに、以下のものを含んでも良く、即ち、
通知ユニット1702：それは、自セル又は隣接セルの１つ又は複数のユーザ装置に通知情報を送信し；
そのうち、前記通知情報は、次のようなもののうちの１つ又は複数を含んでも良く、即ち、自セルの特定時間範囲内での伝送方向情報、前記ユーザ装置が前記報告情報を送信する送信パワー情報、前記ユーザ装置が前記報告情報を送信する時間情報、及び前記報告情報を送信するユーザ装置情報である。
【０１２５】
図17に示すように、干渉抑制情報の伝送装置1700は、さらに、次のようなものを含んでも良く、即ち、
設定ユニット1703：それは、前記ユーザ装置のために、前記報告情報を送信する時間周波数リソース及び／又は前記通知情報を受信する時間周波数リソースを設定する。
【０１２６】
図17に示すように、干渉抑制情報の伝送装置1700は、さらに、以下のものを含んでも良く、即ち、
ネゴシエーションユニット1704：それは、１つ又は複数の隣接ネットワーク装置と、前記ユーザ装置が前記報告情報を送信する時間周波数リソース及び／又は前記通知情報を送信する時間周波数リソースをネゴシエーションする。
【０１２７】
１つの実施方では、前記報告情報及び前記通知情報は、下りリンクデータを含む時間ユニット構成において搬送されても良く、前記時間ユニット構成中では、時間領域上で順次、前記通知情報、前記報告情報及び前記下りリンクデータをキャリーし；
或いは、前記報告情報及び前記通知情報は、上りリンクデータを含む時間ユニット構成においてキャリーされ、前記時間ユニット構成中では、時間領域上で順次、前記通知情報、前記報告情報及び前記上りリンクデータをキャリーする。
【０１２８】
そのうち、前記通知情報中の前記伝送方向情報は、ローカル時間ユニット内のデータ伝送方向或いはローカル時間ユニットの後の１つ又は複数の時間ユニット内のデータ伝送方向を指示し；
前記報告情報中の前記伝送方向情報は、ローカル時間ユニット内のサービングセル又は隣接セルのデータ伝送方向、或いは、ローカル時間ユニットの後の１つ又は複数の時間ユニット内のサービングセル又は隣接セルのデータ伝送方向を指示する。
【０１２９】
もう１つの実施方式では、前記報告情報及び前記通知情報は、下りリンクデータを含む時間ユニット構成において搬送されても良く、前記時間ユニット構成中では、時間領域上で順次、前記通知情報、前記下りリンクデータ及び前記報告情報をキャリーし；
或いは、前記報告情報及び前記通知情報は、上りリンクデータを含む時間ユニット構成においてキャリーされ、前記時間ユニット構成中では、時間領域上で順次、前記通知情報、前記上りリンクデータ及び前記報告情報をキャリーする。
【０１３０】
そのうち、前記通知情報中の前記伝送方向情報は、ローカル時間ユニットの後の１つ又は複数の時間ユニット内のデータ伝送方向を指示し；
前記報告情報中の前記伝送方向情報は、ローカル時間ユニットの後の１つ又は複数の時間ユニット内のサービングセル又は隣接セルのデータ伝送方向を指示する。
【０１３１】
なお、以上、本発明に関連する各部品又はモジュールについて説明したが、本発明は、これに限定されない。干渉抑制情報の伝送装置1700は、さらに、他の部品又はモジュールを含んでも良いが、これらの部品又はモジュールの具体的な内容に関しては、関連技術を参照することができる。
【０１３２】
上述の実施例から分かるように、ユーザ装置がサービングネットワーク装置又は隣接ネットワーク装置に干渉抑制情報を報告することで、これらの情報を隣接ネットワーク装置にタイムリーに通知し、ダイナミックTDDシステムのCLIを有効に抑制することができる。
【実施例５】
【０１３３】
本発明の実施例は、さらに、通信システムを提供する。これについては、図3を参照することができるため、本実施例では、実施例1〜4と同じの内容の記載が省略される。本実施例では、通信システム300は、以下のものを含んでも良い。
【０１３４】
ユーザ装置302；その中に実施例3に記載のような干渉抑制情報の伝送装置1600が構成され；
ネットワーク装置301：その中に実施例4に記載のような干渉抑制情報の伝送装置1700が構成される。
【０１３５】
本発明の実施例は、さらに、ユーザ装置を提供するが、本発明は、これに限定されず、さらに他の装置であっても良い。
【０１３６】
図18は、本発明の実施例におけるユーザ装置を示す図である。図18に示すように、該ユーザ装置1800は、処理器1110及び記憶器1120を含んでも良く、記憶器1120は、データ及びプログラムを記憶しており、かつ処理器1110に接続される。なお、該図は、例示に過ぎず、さらに、該構成に対して他の類型の構成を以て補充又は代替を行うことで、電気通信機能又は他の機能を実現することもできる。
【０１３７】
そのうち、処理器1110は、干渉抑制情報の伝送装置1600の機能を実現するように構成されても良い。例えば、処理器1110は、次のような制御を行うように構成されても良く、即ち、サービングネットワーク装置或いは１つ又は複数の隣接ネットワーク装置に、ダイナミックTDDによるCLIを抑制するための報告情報を送信し、そのうち、前記報告情報は、以下のようなもののうちの１つ又は複数を含み、即ち、
サービングセルの特定時間範囲内での伝送方向情報、
１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報である。
【０１３８】
図11に示すように、該ユーザ装置1800は、さらに、通信モジュール1130、入力ユニット1140、表示器1150、電源1160を含んでも良い。そのうち、これらの部品の機能は、従来技術と同様であるため、ここでは、その詳しい説明を割愛する。なお、ユーザ装置1800は、図18中の全ての部品を含む必要がない。また、ユーザ装置1800は、さらに、図18に無い部品を含んでも良いが、これについては、従来技術を参照することができる。
【０１３９】
本発明の実施例は、さらに、ネットワーク装置を提供し、それは、例えば、基地局であっても良いが、本発明は、これに限定されず、さらに他のネットワーク装置であっても良い。
【０１４０】
図19は、本発明の実施例におけるネットワーク装置の構成図である。図19に示すように、ネットワーク装置1900は、処理器1210（例えば、中央処理装置CPU）及び記憶器1220を含んでも良く、記憶器1220は、処理器1210に接続される。そのうち、該記憶器1220は、各種のデータを記憶することができ、また、さらに情報処理用のプログラム1230を記憶し、且つ処理器1210の制御下で該プログラム1230を実行することができる。
【０１４１】
そのうち、処理器1210は、干渉抑制情報の伝送装置1700の機能を実現するように構成されても良い。例えば、処理器1210は、プログラム1230を実行して次のような制御を行うように構成されても良く、即ち、自セル又は隣接セルの１つ又は複数のユーザ装置送信の、ダイナミックTDDによるCLIを抑制するための報告情報を受信し、そのうち、前記報告情報は、以下のようなもののうちの１つ又は複数を含んでも良く、即ち、
前記ユーザ装置のサービングセルの特定時間範囲内での伝送方向情報、
前記ユーザ装置の１つ又は複数の隣接セルの特定時間範囲内での伝送方向情報、
前記ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報である。
【０１４２】
また、図19に示すように、ネットワーク装置1900は、さらに、送受信機1240、アンテナ1250などを含んでも良い。そのうち、これらの部品の機能は、従来技術と同様であるため、ここでは、その詳細な記載を割愛する。なお、ネットワーク装置1900は、図19中の全ての部品を含む必要がない。また、ネットワーク装置1900は、さらに、図19に無い部品を含んでも良く、これについては、従来技術を参照することができる。
【０１４３】
本発明の実施例は、さらに、コンピュータ可読プログラムを提供し、そのうち、ユーザ装置中で前記プログラムを実行するときに、前記プログラムは、前記ユーザ装置に、実施例1に記載の干渉抑制情報の伝送方法を実行させる。
【０１４４】
本発明の実施例は、さらに、コンピュータ可読プログラムを記憶している記憶媒体を提供し、そのうち、前記コンピュータ可読プログラムは、ユーザ装置に、実施例1に記載の干渉抑制情報の伝送方法を実行させる。
【０１４５】
本発明の実施例は、さらに、コンピュータ可読プログラムを提供し、そのうち、ネットワーク装置（例えば、基地局）中で前記プログラムを実行するときに、前記プログラムは、前記ネットワーク装置（例えば、基地局）に、実施例2に記載の干渉抑制情報の伝送方法を実行させる。
【０１４６】
本発明の実施例は、さらに、有コンピュータ可読プログラムを記憶している記憶媒体を提供し、そのうち、前記コンピュータ可読プログラムは、ネットワーク装置（例えば、基地局）に、実施例2に記載の干渉抑制情報の伝送方法を実行させる。
【０１４７】
本発明の以上のユーザ装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述のユーザ装置又は構造部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１４８】
また、図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積バックホール（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１４９】
以上、本発明の好ましい実施形態を説明したが、本発明はこのような実施形態に限定されず、本発明の趣旨を離脱しない限り、本発明に対するあらゆる変更は本発明の技術的範囲に属する。
【０１５０】
また、以上の実施例などに関して、さらに次のように付記を開示する。
【０１５１】
（付記1）
干渉抑制情報の伝送装置であって、
受信ユニットであって、ネットワーク装置送信の通知情報を受信するもの；及び
報告ユニットであって、サービングネットワーク装置或いは１つ又は複数の隣接ネットワーク装置に、ダイナミックTDDによるCLIを抑制するための報告情報を送信するものを含み、
そのうち、前記報告情報及び前記通知情報は、下りリンクデータを含む時間ユニット構成においてキャリーされ、前記時間ユニット構成中では、時間領域上で順次、前記通知情報、前記報告情報及び前記下りリンクデータをキャリーし；又は
前記報告情報及び前記通知情報は、上りリンクデータを含む時間ユニット構成においてキャリーされ、前記時間ユニット構成中では、時間領域上で順次、前記通知情報、前記報告情報及び前記上りリンクデータをキャリーする、伝送装置。
【０１５２】
（付記2）
付記1に記載の伝送装置であって、
前記報告情報は、
サービングセルの特定時間範囲内での伝送方向情報、
１つ又は複数の隣接セルの特定時間範囲内での伝送方向情報、
ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報
のうちの1つ又は複数を含む、伝送装置。
【０１５３】
（付記3）
付記1に記載の伝送装置であって、
前記通知情報は、
サービングセルの特定時間範囲内での伝送方向情報、
１つ又は複数の隣接セルの特定時間範囲内での伝送方向情報、
前記報告情報を送信する送信パワー情報、
前記報告情報を送信する時間情報、及び
前記報告情報を送信するユーザ装置の情報
のうちの１つ又は複数を含む、伝送装置。
【０１５４】
（付記4）
付記2に記載の伝送装置であって、
前記特定時間範囲は、データを伝送するための時間期間であり、１つ又は複数のスロット、１つ又は複数のサブフレーム、１つ又は複数のフレーム、及び、１つ又は複数のシンボルのうちの何れか１つを含む、伝送装置。
【０１５５】
（付記5）
付記1に記載の伝送装置であって、
前記報告ユニットが前記報告情報を送信する時間周波数リソースは、前記サービングネットワーク装置又は前記隣接ネットワーク装置により設定され、及び／又は、前記受信ユニットが前記通知情報を受信する時間周波数リソースは、前記サービングネットワーク装置又は前記隣接ネットワーク装置により設定される、伝送装置。
【０１５６】
（付記6）
付記1に記載の伝送装置であって、
前記報告ユニットは、前記通知情報中の前記送信パワー情報及び／又は前記時間情報に基づいて前記報告情報を送信し；及び／又は
前記通知情報は、前記サービングネットワーク装置又は前記隣接ネットワーク装置が他の信号のパワーよりも大きいパワーを用いて送信する、伝送装置。
【０１５７】
（付記7）
付記1に記載の伝送装置であって、
前記報告情報を送信するユーザ装置は、
前記ユーザ装置が、前記サービングネットワーク装置により、前記報告情報を送信する必要があると設定された、
前記ユーザ装置が、前記サービングネットワーク装置により、前記報告情報の送信後にデータの送信又は受信を行うとスケジューリングされた、
前記ユーザ装置が、前記隣接ネットワーク装置により送信される前記通知情報を受信した、
前記ユーザ装置が、前記サービングネットワーク装置の伝送方向が前記隣接ネットワーク装置の伝送方向とは異なることを発見した、
前記ユーザ装置が、前記報告情報の送信前に、１つ又は複数の隣接セルからのCLIを測定しており、或いは、１つ又は複数の隣接セルのユーザ装置にCLIを与え得ることを検出した、及び
前記ユーザ装置が、前記報告情報の送信後に、１つ又は複数の隣接セルかのCLIを受け得る、或いは、１つ又は複数の隣接セルのユーザ装置にCLIを与え得ることを予測できた
という条件のうちの１つ又は複数を満足する、伝送装置。
【０１５８】
（付記8）
付記1に記載の伝送装置であって、
前記通知情報中の前記伝送方向情報は、ローカル時間ユニット内のデータ伝送方向又はローカル時間ユニットの後の１つ又は複数の時間ユニット内のデータ伝送方向を指示し、
前記報告情報中の前記伝送方向情報は、ローカル時間ユニット内のサービングセル又は隣接セルのデータ伝送方向、或いは、ローカル時間ユニットの後の１つ又は複数の時間ユニット内のサービングセル又は隣接セルのデータ伝送方向を指示する、伝送装置。
【０１５９】
（付記9）
付記1に記載の伝送装置であって、
前記時間ユニット構成において前記報告情報の後に、さらに、下りリンク制御情報がキャリーされ、
前記下りリンク制御情報は、前記サービングネットワーク装置又は前記隣接ネットワーク装置がCLIを発見した場合に送信され、これにより、ユーザ装置がデータを伝送するためのスケジューリングに対して調整を行う、伝送装置。
【０１６０】
（付記10）
干渉抑制情報の伝送装置であって、
受信ユニットであって、ネットワーク装置により送信される通知情報を受信するもの；及び
報告ユニットであって、サービングネットワーク装置或いは１つ又は複数の隣接ネットワーク装置に、ダイナミックTDDによるCLIを抑制するための報告情報を送信するものを含み、
前記報告情報及び前記通知情報は、下りリンクデータを含む時間ユニット構成においてキャリーされ、前記時間ユニット構成中では、時間領域上で順次、前記通知情報、前記下りリンクデータ及び前記報告情報がキャリーされ；又は
前記報告情報及び前記通知情報は、上りリンクデータを含む時間ユニット構成においてキャリーされ、前記時間ユニット構成中では、時間領域上で順次、前記通知情報、前記上りリンクデータ及び前記報告情報がキャリーされる、伝送装置。
【０１６１】
（付記11）
付記10に記載の伝送装置であって、
前記通知情報中の前記伝送方向情報は、ローカル時間ユニットの後の１つ又は複数の時間ユニット内のデータ伝送方向を指示し、
前記報告情報中の前記伝送方向情報は、ローカル時間ユニットの後の１つ又は複数の時間ユニット内のサービングセル又は隣接セルのデータ伝送方向を指示する、伝送装置。
【０１６２】
（付記12）
付記10に記載の伝送装置であって、
前記報告情報は、
サービングセルの特定時間範囲内での伝送方向情報、
１つ又は複数の隣接セルの特定時間範囲内での伝送方向情報、
ユーザ装置が前記報告情報を送信する前に１つ又は複数の隣接セルからのCLIを測定しているかを指示するための指示情報、
前記ユーザ装置が前記報告情報を送信する前に１つ又は複数の隣接セルのユーザ装置に対してCLIを生成しているかを指示するための指示情報、
１つ又は複数の隣接セルからのCLIの測定結果情報、
前記ユーザ装置が前記報告情報を送信する前にCLIを受けた、又は、他のユーザ装置にCLIを与えたリソース位置情報、及び
前記ユーザ装置が前記報告情報を送信した後にCLIを受ける可能性のある、又は、他のユーザ装置にCLIを与える可能性のあるリソース位置情報
のうちの１つ又は複数を含む、伝送装置。
【０１６３】
（付記13）
付記10に記載の伝送装置であって、
前記通知情報は、
サービングセルの特定時間範囲内での伝送方向情報、
１つ又は複数の隣接セルの特定時間範囲内での伝送方向情報、
前記報告情報を送信する送信パワー情報、
前記報告情報を送信する時間情報、及び
前記報告情報を送信するユーザ装置の情報
のうちの１つ又は複数を含む、伝送装置。
【０１６４】
（付記14）
付記12に記載の伝送装置であって、
前記特定時間範囲は、データ伝送のための時間期間であり、１つ又は複数のスロット、１つ又は複数のサブフレーム、１つ又は複数のフレーム、及び、１つ又は複数のシンボルのうちの何れか１つを含む、伝送装置。
【０１６５】
（付記15）
付記10に記載の伝送装置であって、
前記報告ユニットが前記報告情報を送信する時間周波数リソースは、前記サービングネットワーク装置又は前記隣接ネットワーク装置により設定され、及び／又は、前記受信ユニットが前記通知情報を受信する時間周波数リソースは、前記サービングネットワーク装置又は前記隣接ネットワーク装置により設定される、伝送装置。
【０１６６】
（付記16）
付記10に記載の伝送装置であって、
前記報告ユニットは、前記通知情報中の前記送信パワー情報及び／又は前記時間情報送信に基づいて前記報告情報を送信し；及び／又は
前記通知情報は、前記サービングネットワーク装置又は前記隣接ネットワーク装置が他の信号のパワーよりも大きいパワーを用いて送信する、伝送装置。
【０１６７】
（付記17）
付記10に記載の伝送装置であって、
前記報告情報を送信するユーザ装置は、
前記ユーザ装置が、前記サービングネットワーク装置により、前記報告情報を送信する必要があると設定された、
前記ユーザ装置が、前記サービングネットワーク装置により、前記報告情報の送信後にデータの送信又は受信を行うとスケジューリングされた、
前記ユーザ装置が、前記隣接ネットワーク装置により送信される前記通知情報を受信した、
前記ユーザ装置が、前記サービングネットワーク装置の伝送方向が前記隣接ネットワーク装置の伝送方向とは異なることを発見した、
前記ユーザ装置が、前記報告情報の送信前に、１つ又は複数の隣接セルからのCLIを測定しており、或いは、１つ又は複数の隣接セルのユーザ装置にCLIを与え得ることを検出した、及び
前記ユーザ装置が、前記報告情報の送信後に、１つ又は複数の隣接セルかのCLIを受け得る、或いは、１つ又は複数の隣接セルのユーザ装置にCLIを与え得ることを予測できた
という条件のうちの１つ又は複数を満足する、伝送装置。
【図１】
2019537376.tif 000003
【図２】
2019537376.tif 000004
【図３】
2019537376.tif 000005
【図４】
2019537376.tif 000006
【図５】
2019537376.tif 000007
【図６】
2019537376.tif 000008
【図７】
2019537376.tif 000009
【図８】
2019537376.tif 000010
【図９】
2019537376.tif 000011
【図１０】
2019537376.tif 000012
【図１１】
2019537376.tif 000013
【図１２】
2019537376.tif 000014
【図１３】
2019537376.tif 000015
【図１４】
2019537376.tif 000016
【図１５】
2019537376.tif 000017
【図１６】
2019537376.tif 000018
【図１７】
2019537376.tif 000019
【図１８】
2019537376.tif 000020
【図１９】
2019537376.tif 000021
【国際調査報告】
2019537376.tif 000022
2019537376.tif 000023
2019537376.tif 000024
2019537376.tif 000025
2019537376.tif 000026
2019537376.tif 000027